(57)【要約】      （修正有）【課題】利用者に不安や迷いを生じさせない表示を与えるエレベータの操作盤を提供する。【解決手段】エレベータかご内に、発光体を有しかご扉を開放させる戸開釦１０が設けられ、該かご扉がマイクロコンピータを備えた制御装置により、開閉制御される操作盤１において、戸開釦１０の発光体を点灯・点滅・消灯させる発光手段を設け、該かご扉の戸開き完了位置から点灯、戸閉め開始直前から完了まで点滅させるものである。そして、前記戸閉め開始直前とは、戸閉め開始の０．５秒前であり、点滅のデューティ比は、５０％、点滅の周期は、周波数が１．１Hzである。【選択図】図１
2006219289.tif 000002
【特許請求の範囲】
【請求項１】
エレベータかご内に、発光体を有しかご扉を開放させる戸開釦が設けられ、該かご扉がマイクロコンピータを備えた制御装置により、開閉制御される操作盤において、
前記戸開釦の発光体を点灯・点滅・消灯させる発光手段を設け、該かご扉の戸開き完了位置から点灯、戸閉め開始直前から完了まで点滅させることを特徴とするエレベータの操作盤
【請求項２】
前記戸閉め開始直前とは、戸閉め開始の極短い所定時間前であることを特徴とする請求項１に記載のエレベータの操作盤。
【請求項３】
前記所定時間とは、扉の動作との関係から乗客に違和感を与えない程度の時間であることを特徴とする請求項２に記載のエレベータの操作盤。
【請求項４】
前記所定時間とは、０．５秒程度であることを特徴とする請求項２乃至請求項３に記載のエレベータの操作盤。
【請求項５】
点滅のデューティ比は、５０％乃至６０％であることを特徴とする請求項１乃至請求項４に記載のエレベータの操作盤。
【請求項６】
点滅の周期は、周波数が１．１Hz近辺であることを特徴とする請求項１乃至請求項５に記載のエレベータの操作盤。
【発明の詳細な説明】
【技術分野】
【０００１】
本発明は、エレベータかご内の操作盤に関するものである。
【背景技術】
【０００２】
図９は、従来のかご操作盤を示す正面図で、かご操作盤１には、かご扉を開放させる戸開釦2と、かご扉を閉鎖させる戸閉釦３と、複数のかご呼を登録させるかご呼び釦４と、エレベータかごの運転方向を表示する方向灯５とが設けられている。
【０００３】
そして特に、戸開釦２及び戸閉釦３について安全上、区別をつきやすくするために、日本エレベータ協会では、「戸開釦２を大きくする」、「戸閉釦３に色をつける」などを推奨している。一方、各エレベータメーカーにおいても、独自の工夫を凝らしており、たとえば、戸開釦２に発光体を備え、これを点滅させることにより、注意を引かせることが行われている。即ち、戸開完了時点から戸開釦２の発光体を点滅させて後、この点灯・消灯を規則的に繰り返し、戸閉完了時点で消灯させるものである。この発光体には、発光ダイオードやランプなどが使用される。
【特許文献１】特開２００１−３３５２５０号公報
【発明の開示】
【発明が解決しようとする課題】
【０００４】
この戸開釦２の発光体を点滅させれば当然に、誘目性（注意を引く度合い）は高くなるものの、徒に点滅させると目障りになったり、「点滅していると何の意味もなく押してしまう」とか「点灯している意味がわからない」と言うような不具合も見られ、まだまだ改良の余地を残していた。
【課題を解決するための手段】
【０００５】
本発明は、エレベータかご内に、発光体を有しかご扉を開放させる戸開釦が設けられ、該かご扉がマイクロコンピータを備えた制御装置により、開閉制御される操作盤において、戸開釦の発光体を点灯・点滅・消灯させる発光手段を設け、該かご扉の戸開き完了位置から点灯、戸閉め開始直前から完了まで点滅させるものである。
【発明の効果】
【０００６】
本発明は、人間工学に基づいた表示を行うことにより、利用者に迷いや不安を与えない注意の喚起ができ、ユニバーサルデザインに相応しいエレベータの操作盤を得ることができるものである。
【発明を実施するための最良の形態】
【０００７】
本発明は、戸開釦の発光体について、点滅を開始する時期に工夫を凝らすものである。
【実施例１】
【０００８】
以下、本発明の実施例について、図面を用いて説明する。図１はマイクロコンピータを利用してエレベータのかご扉を制御する制御装置の一構成例を示すブロック図、図２は図１においてマイクロコンピータが処理する手順を示すフローチャート図、図３は扉の開閉状態とランプの点滅状態を説明する説明図である。
【０００９】
図中、図９と同一符号のものは同一のものを示すが、１０は本発明に係る戸開釦で、後述する発光手段１０ａを備えている。１１はこの発光手段１０ａを制御する制御装置である。そして、１２は周知の液晶ディスプレイ装置である。
【００１０】
次に、この制御装置１１の動作について、図２に示すフローチャートによって説明する。先ず、戸開釦１０の発光体１０ａが消灯している状態から、ステップ１において、かご扉が戸開き完了位置か否かをチェックし、完了位置でなければ消灯状態を維持するとともに、完了位置であれば戸開釦１０の発光体１０ａを点灯させる。
【００１１】
次に、ステップ２においてかご扉の戸閉め開始直前か否かをチェックし、直前になると戸開釦１０の発光体１０ａを戸閉め完了するまで点滅させ、完了すれば消灯させる。
【００１２】
ここで、戸閉め開始直前か否かの判定については、マイクロコンピータに内蔵されている計時カウンタによって行われる。即ち、その時のエレベータの利用状況に応じて、戸開時間が予め決められ制御されており、この計時カウンタによって戸閉め開始前の所定時間、たとえば０．５秒前と言うような判定が可能であり、このような本発明に基づく点滅タイムチャートは、従来の点滅タイムチャートと比較して、図３に示すようになる。
【００１３】
この０．５秒と言う極短い時間については、かご扉の動作との関係で乗客に違和感・不自然さを与えない時間のことである。つまり、戸開釦１０の発光体１０ａの点滅が始まると、乗客の注意が戸開釦１０に一旦移るが、目をかご扉に移すと扉が閉まり出すことによって、点滅表示自体の違和感・不自然さを生じさせない。もし、継続してかご扉が閉まらなければ、乗客に違和感や不自然さを与えてしまうことになる。
【００１４】
ところで、出願人による研究の結果、この戸開釦１０の発光体１０ａにおける点滅パターンの最適化の効果について、次のような興味深い実験データを得ることができた。
【００１５】
かご内の戸開閉釦を迷う状況（フィールド調査及び実験結果による）は、図４に示すことから、「扉が閉まりかけの時には迷うが、それ以外では迷わない」ことが分かり、この結果を受けてのデザインコンセプトとしては「必要な時に誘目性が高く、不快な印象を与えない点滅」を目指せば良いことが言える。
【００１６】
図５、図６、図７及び図８には、点滅周期（周波数）に対する誘目性や点滅デューティ比（点灯／（点灯+消灯））に対する誘目性、或いは点滅開始タイミングに対する不自然さ、又周波数に対するデューティ比の印象結果の実験結果を示す。
【００１７】
これらの実験結果から分かることは、
1.点滅周期が速いと、誘目性は高くなる。
2.点滅デューティ比は誘目性に、ほとんど影響を与えない。
3.点滅開始のタイミングは、戸閉開始の０．５秒前が最善である。
4.図９の斜線部分では、全て好印象であるが、周波数については１．１Hz近辺が適している。
5.デューティ比としては、５０％乃至６０％程度が適している。
このような実験結果・特性から本発明に関する技術事項が決定されている。
【産業上の利用可能性】
【００１８】
以上の説明では、エレベータかごの戸開釦における誘目性について述べているが、操作指示表示発光手段として、その他の操作釦に応用することもできるので、実施例に限定されない。
【図面の簡単な説明】
【００１９】
【図１】マイクロコンピータを利用してエレベータのかご扉を制御する制御装置の一構成例を示すブロック図である。
【図２】図１においてマイクロコンピータが処理する手順を示すフローチャート図である。
【図３】扉の開閉状態とランプの点滅状態を説明する説明図である。
【図４】フィールド調査及び実験結果を示す表である。
【図５】周波数に対する誘目性を示す実験結果である。
【図６】デューティ比に対する誘目性を示す実験結果である。
【図７】点滅開始タイミングと利用者の不自然感の関係を示す実験結果である。
【図８】周波数とデューティ比において、利用者の印象を示す実験結果である。
【図９】従来のエレベータかごの操作盤を示す正面図である。
【符号の説明】
【００２０】
１ エレベータかごの操作盤
２，１０ 戸開釦
１０ａ 戸開釦１０の発光体
１１ 制御装置
【図１】
2006219289.tif 000003
【図２】
2006219289.tif 000004
【図３】
2006219289.tif 000005
【図４】
2006219289.tif 000006
【図５】
2006219289.tif 000007
【図６】
2006219289.tif 000008
【図７】
2006219289.tif 000009
【図８】
2006219289.tif 000010
【図９】
2006219289.tif 000011